(57)【要約】【課題】撮影場所に関する詳細な位置情報及び撮影場所に関する画像を低コストで撮影装置に提供することにある。【解決手段】被写体像を固体撮像素子により撮像信号に変換する撮像手段と、撮像信号を撮影画像として記憶する撮影画像記憶手段と、撮影場所に設置されたデータサーバから撮影場所に関する場所情報（場所の名称、写真フレーム）をブルートゥースにより受信する受信手段と、受信手段で受信した場所情報を記憶する場所情報記憶手段とを備えるデジタルカメラ１ａ〜１ｎ。【選択図】      図１
2004221753.tif 000002
【特許請求の範囲】
【請求項１】
被写体像を固体撮像素子により撮像信号に変換する撮像手段と、前記撮像信号を撮影画像として記憶する撮影画像記憶手段とを備えたデジタルカメラにおいて、
前記撮影場所に設置されたデータサーバから、前記撮影場所の名称情報及び画像情報を含む場所情報をブルートゥースにより受信する受信手段と、
前記受信手段で受信した前記場所情報を記憶する場所情報記憶手段と、
前記場所情報を使用するか否かの選択を受け付ける選択手段と、
前記使用が選択された場所情報を前記撮影画像と対応づけて撮影画像記憶手段に記憶させる合成手段と、
前記受信手段が前記データサーバの通信範囲から外れた場合に、前記場所情報記憶手段に記憶されている前記場所情報を削除する削除手段と、
を備えることを特徴とするデジタルカメラ。
【請求項２】
被写体像を固体撮像素子により撮像信号に変換する撮像手段と、
前記撮像信号を撮影画像として記憶する撮影画像記憶手段と、
前記撮影場所に設置されたデータサーバから、前記撮影場所に関する場所情報をブルートゥースにより受信する受信手段と、
前記受信手段で受信した前記場所情報を記憶する場所情報記憶手段と、を備える撮影装置。
【請求項３】
前記場所情報は、前記撮影場所の名称情報及び画像情報を含む、請求項２に記載の撮影装置。
【請求項４】
前記場所情報を使用するか否かの選択を受け付ける選択手段と、
前記使用が選択された場所情報を前記撮影画像と対応づけて撮影画像記憶手段に記憶させる合成手段と、
をさらに備える請求項２又は３に記載の撮影装置。
【請求項５】
前記受信手段が前記データサーバの通信範囲から外れた場合に、前記場所情報記憶手段に記憶されている前記場所情報を削除する削除手段をさらに備える、請求項４に記載の撮影装置。
【請求項６】
前記撮影装置はデジタルカメラである、請求項２から５のいずれかに記載の撮影装置。
【請求項７】
撮影場所に関する名称情報及び画像情報を含む場所情報を記憶しており、前記場所情報をブルートゥースにより送信する送信機を有する、データサーバ。
【請求項８】
撮影場所の名称情報及び画像情報を含む場所情報を記憶しており、前記場所情報をブルートゥースにより送信する送信機を有するデータサーバと、
被写体像を固体撮像素子により撮像信号に変換する撮像手段と、前記撮像信号を撮影画像として記憶する撮影画像記憶手段と、前記撮影場所に設置されたデータサーバから、前記撮影場所に関する場所情報をブルートゥースにより受信する受信手段と、前記受信手段で受信した前記場所情報を記憶する場所情報記憶手段とを有する少なくとも１つの撮影装置と、
を備える場所情報提供システム。
【発明の詳細な説明】
【０００１】
【発明の属する技術分野】
また本発明は、場所情報提供システム、特に、撮影場所に関する情報を無線通信で送信するデータサーバ及び撮影場所に関する情報を無線通信で受信する少なくとも１つの撮影装置を有する場所情報提供システムに関する。
【０００２】
【従来の技術】
撮影場所に関する情報を無線通信で受信するデジタルカメラとしては、例えば特許文献１及び２に記載されたものがある。
特許文献１に記載のデジタルカメラは、ＰＨＳを搭載しており、基地局との間で無線通信を行って基地局の位置情報を受信し、その位置情報を撮像画像に付加する。これにより、撮影者が撮影場所の情報の入力や記録を行う必要がないようにしている。
【０００３】
特許文献２に記載のデジタルカメラは、撮影画像にファイル名、撮影日時、撮影装置の機種名、位置情報などの検索情報を含ませておき、ＰＨＳなどの通信装置から検索情報を受け取ると、その検索情報に該当する撮影画像を検索して通信装置に送信している。これにより、通信装置からデジタルカメラに蓄積されている撮影画像を検索し、通信装置に表示させることができる。
【０００４】
【特許文献１】
特開平９−６５２６８号公報（第３−５頁、第２，４図）
【０００５】
【特許文献２】
特開２００２−１９１０７９号公報（第１０−１１頁、第２−４図）
【０００６】
【発明が解決しようとする課題】
特許文献１のデジタルカメラでは、ＰＨＳの基地局から位置情報を受け取るため詳細な場所の特定までは困難であり、例えば観光地での記念写真に観光地の名称を付加したい場合などには、観光地の名称までは特定できず、撮影者の要望に応えることができない。また、観光地での記念写真には、その観光地に適したフレームなどの画像を付加したい場合もあるが、特許文献１には撮影場所に関する画像を付加する点については記載されていない。
【０００７】
特許文献２のデジタルカメラでは、撮影画像に含ませる位置情報はＧＰＳ（Ｇｌｏｂａｌ  Ｐｏｓｉｔｉｏｎｉｎｇ  Ｓｙｓｔｅｍ）又はＰＨＳの基地局から受信しているが、ＰＨＳ基地局の場合は前述同様に観光地の場所まで特定できず、ＧＰＳを利用する場合にはＧＰＳ利用のコストが問題になる。また、前述同様に、特許文献２には撮影場所に関する画像を付加する点については記載されていない。
【０００８】
本発明の目的は、撮影場所に関する詳細な位置情報及び撮影場所に関する画像を低コストで撮影装置に提供することにある。
【０００９】
【課題を解決するための手段】
第１発明に係るデジタルカメラは、被写体像を固体撮像素子により撮像信号に変換する撮像手段と、前記撮像信号を撮影画像として記憶する撮影画像記憶手段とを備えたデジタルカメラにおいて、前記撮影場所に設置されたデータサーバから、前記撮影場所の名称情報及び画像情報を含む場所情報をブルートゥースにより受信する受信手段と、前記受信手段で受信した前記場所情報を記憶する場所情報記憶手段と、前記場所情報を使用するか否かの選択を受け付ける選択手段と、前記使用が選択された場所情報を前記撮影画像と対応づけて撮影画像記憶手段に記憶させる合成手段と、前記受信手段が前記データサーバの通信範囲から外れた場合に、前記場所情報記憶手段に記憶されている前記場所情報を削除する削除手段とを備えることを特徴とする。
【００１０】
このデジタルカメラでは、撮影場所に設置されたデータサーバから、撮影場所の名称情報及び画像情報を含む場所情報を受け取るため、観光地の名称などの詳細な位置情報や観光地に適した写真フレームなどの画像を取得できる。
また、デジタルカメラは、汎用のブルートゥースモジュールを備えていれば良いのでコストが安い。
【００１１】
ブルートゥースによる通信は通信範囲が狭く、撮影場所近傍にあるデータサーバからのみ場所情報を受け取ることができ、他の場所に設置されたデータサーバから場所情報を誤って受け取るのを防止できる。
また、ブルートゥースによる無線通信であるため、１台のデータサーバから複数のデジタルカメラが場所情報を取得できる。
【００１２】
また、同一の観光地内に複数のデータサーバを設置する場合には、設置場所ごとにより詳細な名称、例えば正門、裏門などの情報を観光地の名称に付加してもよい。また、設置場所ごとに写真用フレームを異ならせてもよい。また、これらの場所情報はその観光地でしか取得できない限定のものにしておけば、観光地のピーアールにもなり、集客に貢献できる。
【００１３】
また、受信した場所情報を使用するか否かを撮影者が選択できる。場所情報の選択は、複数パターンの写真フレーム等の画像を受信する場合には、どの画像を使用するか選択できるようにする。ここで、使用を選択しない場所情報は、即座に消去してもよいし、場所情報記憶手段に記憶しておいて必要に応じて後から使用を選択したり、削除してもよい。
【００１４】
また、使用しない場所情報が自動的に削除されるので、不要な情報によって記憶手段に負担をかけるのを防止できる。
第２発明に係る撮影装置は、被写体像を固体撮像素子により撮像信号に変換する撮像手段と、前記撮像信号を撮影画像として記憶する撮影画像記憶手段と、前記撮影場所に設置されたデータサーバから、前記撮影場所に関する場所情報をブルートゥースにより受信する受信手段と、前記受信手段で受信した前記場所情報を記憶する場所情報記憶手段とを備えている。
【００１５】
この撮影装置では、撮影場所に設置されたデータサーバから場所情報を受け取るため、観光地の名称などの詳細な位置情報や観光地に適した写真フレームなどの画像を取得できる。
また、撮影装置は、汎用のブルートゥースモジュールを備えていれば良いのでコストが安い。
【００１６】
また、ブルートゥースによる通信であるため、撮影場所の近傍にあるデータサーバからのみ場所情報を受け取ることができ、他の撮影場所の場所情報を受け取るのを防止できる。撮影画像にその撮影場所の場所情報を正確に付加することができる。
また、ブルートゥースによる無線通信であるため、１台のデータサーバから複数の撮影装置が場所情報を取得できる。
【００１７】
第３発明に係る撮影装置は、第２発明に係る撮影装置において、前記場所情報は、前記場所の名称情報及び画像情報を含む。
例えば、観光地の名称や観光地に適した写真用のフレームである。また、同一の観光地内に複数のデータサーバを設置する場合には、設置場所ごとにより詳細な名称、例えば正門、裏門などの情報を観光地の名称に付加してもよい。また、設置場所ごとに写真用フレームを異ならせてもよい。また、これらの場所情報はその観光地でしか取得できない限定のものにしておけば、観光地のピーアールにもなり、集客に貢献できる。
【００１８】
第４発明に係る撮影装置は、第２又は第３発明に係る撮影装置において、前記場所情報を使用するか否かの選択を受け付ける選択手段と、前記使用が選択された場所情報を前記撮影画像と対応づけて撮影画像記憶手段に記憶させる合成手段とをさらに備える。
すなわち、受信した場所情報を使用するか否かを撮影者が選択できる。場所情報の選択は、複数パターンの写真フレーム等の画像を受信する場合には、どの画像を使用するか選択できるようにする。ここで、使用を選択しない場所情報は、即座に消去してもよいし、場所情報記憶手段に記憶しておいて必要に応じて後から使用を選択したり、削除してもよい。
【００１９】
第５発明に係る撮影装置は、第４発明に係る撮影装置において、前記受信手段が前記データサーバの通信範囲から外れた場合に、前記場所情報記憶手段に記憶されている前記場所情報を削除する削除手段をさらに備える。
この場合、使用しない場所情報が自動的に削除されるので、不要な情報によって記憶手段に負担をかけるのを防止できる。
【００２０】
第６発明に係る撮影装置は、第２から第５発明のいずれかに係る撮影装置において、前記撮影装置はデジタルカメラである。
第７発明に係るデータサーバは、撮影場所に関する名称情報及び画像情報を含む場所情報を記憶しており、前記場所情報をブルートゥースにより送信する送信機を有する。
【００２１】
このデータサーバによれば、設置場所に関する詳細な位置情報としての名称情報や写真フレームなどの設置場所に適した画像を複数の撮影装置に送ることができる。またブルートゥース送信機を付加することにより構成できるので、コストが安い。
第８発明に係る場所情報提供システムは、撮影場所の名称情報及び画像情報を含む場所情報を記憶しており、前記場所情報をブルートゥースにより送信する送信機を有するデータサーバと、被写体像を固体撮像素子により撮像信号に変換する撮像手段と、前記撮像信号を撮影画像として記憶する撮影画像記憶手段と、前記撮影場所に設置されたデータサーバから、前記撮影場所に関する場所情報をブルートゥースにより受信する受信手段と、前記受信手段で受信した前記場所情報を記憶する場所情報記憶手段とを有する少なくとも１つの撮影装置とを備えている。
【００２２】
この場所情報提供システムでは、撮影場所に設置されたデータサーバから撮影場所に関する観光地の名称などの詳細な位置情報や観光地に適したフレームなどの画像を送信し、撮影装置が取得できる。また、データサーバ及び撮影装置は、汎用のブルートゥースモジュールを備えていれば良いのでコストが安い。
ブルートゥースによる通信は通信範囲が狭く、撮影場所近傍にあるデータサーバからのみ場所情報を受け取ることができ、他の場所に設置されたデータサーバから場所情報を誤って受け取るのを防止できる。
【００２３】
また、ブルートゥースによる無線通信であるため、１台のデータサーバから複数の撮影装置が場所情報を取得できる。
【００２４】
【発明の実施の形態】
（１）構成
図１は、本発明の一実施形態に係る場所情報提供システムの模式図である。このシステムは、データサーバ３と複数のデジタルカメラ１ａ〜１ｎとを備えている。本実施形態では、デジタルカメラ１ａ〜１ｎを例として説明するが、デジタルビデオなど他の撮影装置であっても良い。
【００２５】
データサーバ３は、例えば観光地などの写真の撮影場所に設置されている。ここでは、例として大阪城の前に設置された場合を示している。データサーバ３はデータベース２１とコンピュータ２２とブルートゥース送受信機２３とを備えている。データベース２１は、撮影場所の名称及び撮影場所に適した写真フレームなどの画像を蓄積している。図中Ａの例では、設置場所の名称は大阪城であり、写真フレームは大阪城に適した木目調のフレームである。図中Ｂの例では、設置場所の名称は大阪城であるが、Ａの例とはフォントが異なる。また、大阪城の文字がフレームで囲まれている。すなわち、データベース２１は、Ａの例及びＢの例の２つのパターンの名称及び画像を蓄積している。コンピュータ２２は、デジカメ１ａ〜１ｎがブルートゥース通信の範囲に入ったか否かを判断し、通信範囲に入るとデータベース２１から名称及び画像を読み出してブルートゥース送受信機２３に出力する。ブルートゥース送受信機２３は、コンピュータ２２から受け取った名称及び画像を送信する。
【００２６】
図２は、デジタルカメラ１ａの構成を説明するブロック図である。
デジタルカメラ１ａは、撮像手段１１と撮影画像記憶手段１２と通信手段１３と場所情報記憶手段１４と表示手段１５と制御装置１６とを備えている。撮像手段１１は、被写体像をＣＣＤなどの固体撮像素子により撮像信号に変換し、撮影画像として出力する。撮影画像記憶手段１２は、不揮発性メモリ、例えばフラッシュメモリである。撮影画像記憶手段１２は、制御装置１６の書込信号に基づいて、撮像手段１１から出力される撮影画像を記憶する。通信手段１３は、データサーバ２のブルートゥース送受信手段２２の通信範囲に入った場合に、撮影場所の名称及び撮影場所に適した画像をブルートゥースにより受信する。場所情報記憶手段１４は、不揮発性のメモリ、例えばフラッシュメモリである。場所情報記憶手段１４は、制御装置１６の書込信号に基づいて、通信手段１３から出力される撮影場所の名称及び撮影場所に適した画像を記憶する。表示手段１５は、ＬＣＤなどであり、制御装置１５の表示制御信号に基づいて、撮影画像記憶手段１２の撮影画像や場所情報記憶手段１４の撮影場所の名称及び撮影場所に適した画像を表示する。
（２）フローチャート
図３は、デジタルカメラ場所情報の取得処理を示すフローチャートである。ステップＳ１１では、デジタルカメラ１ａの通信手段１３がブルートゥース送受信機２３の通信範囲に入ったか否かを判断する。通信範囲に入っていない場合はステップＳ１１の処理を繰り返し、通信範囲に入った場合にはステップＳ１２に移行する。ステップＳ１２では、ブルートゥース送受信手段２３から場所情報を受信し、ステップＳ１３に移行する。ステップＳ１３では、受信した場所情報を場所情報記憶手段１４に書き込む。
【００２７】
図４は、撮影画像への場所情報の付加処理を示すフローチャートである。ステップＳ２１では撮像手段１１によって撮影を行い、撮影画像を撮影画像記憶手段１２に書き込む。ステップＳ２２では、撮影画像とともに場所情報を表示する。ここで、複数の場所情報がある場合には１つごとに表示する。ステップＳ２３では、表示された場所情報を使用するか否かを選択し、使用しない場合にはステップＳ２４に移行する。ステップＳ２４では、場所情報を全て表示したか否かを判断し、全て表示している場合には処理を終了し、未だ表示していないものがある場合にはステップＳ２２に戻る。一方、ステップＳ２３で使用が選択された場合にはステップ２５に移行する。ステップＳ２５では、使用が選択された場所情報を撮影画像に関連づけて撮影情報記憶手段１２に記憶する。
【００２８】
図５は、場所情報の削除処理のフローチャートである。ステップＳ３１では、デジタルカメラ１ａの通信手段１３がデータサーバ２の通信範囲外になったか否かを判断し、範囲外でない場合はステップＳ３１の処理を繰り返し、範囲外になった場合にはステップＳ３２に移行する。ステップＳ３２では、場所情報記憶手段１４に記憶されている場所情報を削除する。
（３）まとめ
本実施形態では、デジタルカメラ１ａ〜１ｎは、撮影場所に設置されたデータサーバ２から撮影場所に関する場所情報を受け取るため、観光地の名称などの詳細な位置情報や観光地に適した写真フレームなどの画像を取得できる。
【００２９】
また、デジタルカメラ１ａ〜１ｎ及びデータサーバ２は、汎用のブルートゥースモジュールを備えていれば良いのでコストが安い。
また、ブルートゥースによる通信は通信範囲が狭く、撮影場所近傍にあるデータサーバ２からのみ場所情報を受け取ることができ、他の場所に設置されたデータサーバ２から場所情報を誤って受け取るのを防止できる。
【００３０】
また、ブルートゥースによる無線通信であるため、１台のデータサーバ２から複数のデジタルカメラ１ａ〜１ｎが場所情報を取得できる。
また、使用しない場所情報が自動的に削除されるので、不要な情報によって記憶手段１４に負担をかけるのを防止できる。
また、場所情報をその観光地でしか取得できない限定のものすれば、ピーアールにもなり、集客に貢献できる。
（４）他の実施形態
データサーバ２は、同一の観光地において複数の場所に設置しても良い。例えば図１の例では、大阪城の前と裏門とに設置し、それぞれ場所の名称を「大阪城前」、「大阪城裏門」のように、より詳細に表しても良い。この場合、同一観光地内でもどの場所で記念撮影をしたのかを正確に記録することができる。
【００３１】
【発明の効果】
本発明によれば、撮影場所に関する詳細な位置情報及び撮影場所に関する画像を低コストで撮影装置に提供できる。
【図面の簡単な説明】
【図１】本発明の一実施形態に係る場所情報提供システムの模式図。
【図２】デジタルカメラの機能ブロック図。
【図３】デジタルカメラにおける場所情報の取得処理のフローチャート。
【図４】デジタルカメラにおける場所情報の付加処理を示すフローチャート。
【図５】デジタルカメラにおける場所情報の削除処理のフローチャート。
【符号の説明】
１  場所情報提供システム
１ａ〜１ｎ  デジタルカメラ
２  データサーバ
２１  データベース
２２  コンピュータ
２３  ブルートゥース送受信機
【図１】
2004221753.tif 000003
【図２】
2004221753.tif 000004
【図３】
2004221753.tif 000005
【図４】
2004221753.tif 000006
【図５】
2004221753.tif 000007